(57)【要約】【課題】データブリッジ機能を有する電気エネルギー供給装置及びワイヤレス照明制御システムを提供する。【解決手段】少なくとも１つの照明装置に接続され、前記装置は、第一ワイヤレス通信モジュールと、マルチプレックスモジュールと、駆動モジュールとを備える。第一ワイヤレス通信モジュールは第一無線ネットワークプロトコルに基づく第一制御信号の受信或いは伝送を行う。マルチプレックスモジュールは第一制御信号の通信プロトコルの種類の判断を行う。駆動モジュールは第一制御信号に基づいて照明装置を駆動させる。マルチプレックスモジュールが第一ワイヤレス通信モジュールにより第一制御信号を受信させると、マルチプレックスモジュールが通信プロトコルの種類に基づいて第一制御信号に従って駆動モジュールの制御を行って照明装置を駆動させるか否か、或いは他の電気エネルギー供給装置をデータブリッジ経路として第一制御信号を通信プロトコルの種類に対応されるものとは離れる第一被制御装置に伝送させるか否か決定させ、第一被制御装置の制御を行う。【選択図】図１
2016149354.tif 000002
【特許請求の範囲】
【請求項１】
少なくとも１つの照明装置に接続される電気エネルギー供給装置であって、
第一無線ネットワークプロトコルに基づく第一制御信号の受信或いは伝送を行う第一ワイヤレス通信モジュールと、
前記第一ワイヤレス通信モジュールに接続され、且つ前記第一制御信号のデータに基づいて前記第一制御信号の通信プロトコルの種類の判断を行うマルチプレックスモジュールと、
前記マルチプレックスモジュールに接続され、且つ前記第一制御信号に従って前記照明装置を駆動させる駆動モジュールとを備え、
ここでは、前記マルチプレックスモジュールが前記第一ワイヤレス通信モジュールにより前記第一制御信号を受信させると、前記マルチプレックスモジュールが前記通信プロトコルの種類に基づいて前記第一制御信号に従って前記駆動モジュールを制御させて前記照明装置を駆動させるか否か、或いは他の前記電気エネルギー供給装置をデータブリッジ経路として前記第一制御信号を前記通信プロトコルの種類に対応されるものとは離れる第一被制御装置に伝送させるか否かを決定させ、前記第一被制御装置を制御させることを特徴とする電気エネルギー供給装置。
【請求項２】
前記マルチプレックスモジュールに接続される変換モジュールをさらに備え、前記変換モジュールは、
前記第一無線ネットワークプロトコルに基づく前記第一制御信号の受信或いは伝送を行う他の前記第一ワイヤレス通信モジュールと、
第二無線ネットワークプロトコルに基づく第二制御信号の受信或いは伝送を行う第二ワイヤレス通信モジュールと、
前記第一ワイヤレス通信モジュール及び前記第二ワイヤレス通信モジュールに接続される処理モジュールとを備えることを特徴とする、請求項１に記載の電気エネルギー供給装置。
【請求項３】
前記マルチプレックスモジュールにより前記通信プロトコルの種類がＤＡＬＩ（Digital Addressable Lighting Interface）規格であると判定されると、前記マルチプレックスモジュールが前記第一制御信号に基づいて前記駆動モジュールを制御させて前記照明装置を駆動させることを特徴とする、請求項２に記載の電気エネルギー供給装置。
【請求項４】
前記第二ワイヤレス通信モジュールが第二制御装置により前記第二制御信号を受信させると、前記処理モジュールが前記第二制御信号を前記第一無線ネットワークプロトコルに基づく変換信号に変換させると共に前記マルチプレックスモジュールまで伝送させ、前記マルチプレックスモジュールが前記変換信号の前記通信プロトコルの種類に基づいて他の前記電気エネルギー供給装置をデータブリッジ経路として前記変換信号を前記通信プロトコルの種類に対応されるものとは離れる第二被制御装置に伝送させ、前記第二被制御装置の制御を行うことを特徴とする、請求項２に記載の電気エネルギー供給装置。
【請求項５】
前記電気エネルギー供給装置は発光ダイオードドライバ、電子安定器、電源供給器或いは無線充電器であることを特徴とする、請求項４に記載の電気エネルギー供給装置。
【請求項６】
前記変換モジュールは有線伝送方式或いは無線伝送方式で前記マルチプレックスモジュールに接続されることを特徴とする、請求項４に記載の電気エネルギー供給装置。
【請求項７】
前記第一ワイヤレス通信モジュールはＺｉｇＢｅｅ無線ネットワークプロトコル或いはブルートゥース無線ネットワークプロトコルに基づくことを特徴とする、請求項４に記載の電気エネルギー供給装置。
【請求項８】
前記第二ワイヤレス通信モジュールは前記ＺｉｇＢｅｅ無線ネットワークプロトコル、前記ブルートゥース無線ネットワークプロトコル、ＷｉＦｉ無線ネットワークプロトコル、ＲＦＩＤ無線ネットワークプロトコル或いは赤外線無線ネットワークプロトコルに基づくことを特徴とする、請求項７に記載の電気エネルギー供給装置。
【請求項９】
前記ブルートゥース無線ネットワークプロトコルは低消費電力ブルートゥース無線ネットワークプロトコルであることを特徴とする、請求項８に記載の電気エネルギー供給装置。
【請求項１０】
複数の照明装置と、
少なくとも１つの第一被制御装置と、
無線伝送方式によりこれら前記照明装置の制御を行う照明制御装置と、
無線伝送方式により前記第一被制御装置の制御を行う第一制御装置と、
少なくとも１つの前記照明装置にそれぞれ接続されると共に第一無線ネットワークプロトコルに基づく第一制御信号の受信を行う複数の電気エネルギー供給装置とを備え、
ここでは、何れか１つの前記電気エネルギー供給装置が前記照明制御装置或いは前記第一制御装置により前記第一制御信号を受信させると、前記電気エネルギー供給装置が前記第一制御信号のデータに基づいて前記第一制御信号の通信プロトコルの種類の判定を行って前記第一制御信号に基づいて前記電気エネルギー供給装置に対応される前記照明装置の制御を行うか否か、或いは他の前記電気エネルギー供給装置をデータブリッジ経路として前記第一制御信号を前記通信プロトコルの種類に対応されるものとは離れる第一被制御装置に伝送させるか否かを決定させ、前記第一被制御装置の制御を行うことを特徴とするワイヤレス照明制御システム。
【請求項１１】
各前記電気エネルギー供給装置は、
前記第一無線ネットワークプロトコルに基づく前記第一制御信号の受信或いは伝送を行う第一ワイヤレス通信モジュールと、
前記第一ワイヤレス通信モジュールに接続され、且つ前記第一制御信号のデータに基づいて前記第一制御信号の通信プロトコルの種類の判断を行うマルチプレックスモジュールと、
前記マルチプレックスモジュールに接続され、且つ前記第一制御信号に基づいて対応される前記照明装置の制御を行う駆動モジュールとを備えることを特徴とする、請求項１０に記載のワイヤレス照明制御システム。
【請求項１２】
前記マルチプレックスモジュールにより前記通信プロトコルの種類がＤＡＬＩ規格であると判定されると、前記マルチプレックスモジュールが前記第一制御信号に基づいて前記駆動モジュールの制御を行って前記照明装置を駆動させることを特徴とする、請求項１１に記載のワイヤレス照明制御システム。
【請求項１３】
前記マルチプレックスモジュールが前記第一ワイヤレス通信モジュールにより前記第一制御信号を受信させると、前記マルチプレックスモジュールが前記通信プロトコルの種類に基づいて前記第一制御信号に従って前記駆動モジュールの制御を行って前記照明装置を駆動させるか否か、或いはデータブリッジ経路として前記第一制御信号を前記通信プロトコルの種類に対応されるものとは離れる第一被制御装置に伝送させるか否かを決定させ、前記第一被制御装置の制御を行うことを特徴とする、請求項１２に記載のワイヤレス照明制御システム。
【請求項１４】
少なくとも１つの第二被制御装置と、
無線伝送方式により前記第二被制御装置の制御を行う第二制御装置とをさらに備えることを特徴とする、請求項１３に記載のワイヤレス照明制御システムことを特徴とする、請求項１３に記載のワイヤレス照明制御システム。
【請求項１５】
各前記電気エネルギー供給装置は、前記マルチプレックスモジュールに接続される変換モジュールをさらに備え、前記変換モジュールは、
前記第一無線ネットワークプロトコルに基づく前記第一制御信号の受信或いは伝送を行う他の前記第一ワイヤレス通信モジュールと、
第二無線ネットワークプロトコルに基づく第二制御信号の受信或いは伝送を行う第二ワイヤレス通信モジュールと、
前記第一ワイヤレス通信モジュール及び前記第二ワイヤレス通信モジュールに接続される処理モジュールとを含むことを特徴とする、請求項１４に記載のワイヤレス照明制御システム。
【請求項１６】
前記第二ワイヤレス通信モジュールが前記第二制御装置により前記第二制御信号を受信させると、前記処理モジュールが前記第二制御信号を前記第一無線ネットワークプロトコルに基づく変換信号に変換させると共に前記マルチプレックスモジュールまで伝送させ、前記マルチプレックスモジュールが前記変換信号の前記通信プロトコルの種類に基づいて他の前記電気エネルギー供給装置をデータブリッジ経路として前記変換信号を前記通信プロトコルの種類に対応されるものとは離れる前記第二被制御装置に伝送させ、前記第二被制御装置の制御を行うことを特徴とする、請求項１５に記載のワイヤレス照明制御システム。
【請求項１７】
これら前記電気エネルギー供給装置は発光ダイオードドライバ、電子安定器、電源供給器或いは無線充電器であることを特徴とする、請求項１６に記載のワイヤレス照明制御システム。
【請求項１８】
これら前記変換モジュールは有線伝送方式或いは無線伝送方式でこれら前記マルチプレックスモジュールに接続されることを特徴とする、請求項１６に記載のワイヤレス照明制御システム。
【請求項１９】
これら前記第一ワイヤレス通信モジュールはＺｉｇＢｅｅ無線ネットワークプロトコル或いはブルートゥース無線ネットワークプロトコルに基づくことを特徴とする、請求項１６に記載のワイヤレス照明制御システム。
【請求項２０】
これら前記第二ワイヤレス通信モジュールは前記ＺｉｇＢｅｅ無線ネットワークプロトコル、前記ブルートゥース無線ネットワークプロトコル、ＷｉＦｉ無線ネットワークプロトコル、ＲＦＩＤ無線ネットワークプロトコル或いは赤外線無線ネットワークプロトコルに基づくことを特徴とする、請求項１９に記載のワイヤレス照明制御システム。
【請求項２１】
前記ブルートゥース無線ネットワークプロトコルは低消費電力ブルートゥース無線ネットワークプロトコルであることを特徴とする、請求項２０に記載のワイヤレス照明制御システム。
【発明の詳細な説明】
【技術分野】
【０００１】
本発明は、電子装置に電気エネルギーを提供する電気エネルギー供給装置に関し、より詳しくは、本発明は電気エネルギー供給装置を備えるワイヤレス照明制御システムに関する。
【背景技術】
【０００２】
ワイヤレス照明制御システムは、使用者が無線遠隔操作方式により建築物の照明装置の制御を行えるため使用上便利であり、ゆえに将来的に発展してゆく趨勢にある。
【発明の概要】
【発明が解決しようとする課題】
【０００３】
しかしながら、前述した従来のワイヤレス照明制御システム技術には、依然として克服すべき少なくない欠点が存在する。例えば、一般的には、従来の技術によるワイヤレス照明制御システムはＷｉＦｉ無線ネットワークを通して制御信号を伝送させており、ＷｉＦｉ無線ネットワークは強力なデータ伝送能力を有するが、ただし、電力の消費も激しく、それゆえに重大な電磁放射が発生し、人体に対して深刻な傷害を与えた。
【０００４】
また、ＷｉＦｉ無線ネットワークの構築コストも高く、ゆえに、ＷｉＦｉ無線ネットワークが使用されるワイヤレス照明制御システムでは、ワイヤレス照明制御システム全体のコストが大幅に増加した。また、制御照明装置に用いられる制御信号には大量のデータ量が必要ないため、ＷｉＦｉ無線ネットワークを通して少ないデータ量の制御信号を伝送させることは浪費であると言えた。
【０００５】
なお、ＷｉＦｉ無線ネットワークは優れた機能を有するが、ただし、ＷｉＦｉ無線ネットワークのカバー範囲には限度があり、被制御装置がＷｉＦｉ無線ネットワークのカバー範囲から離れている場合、使用者はＷｉＦｉ無線ネットワークを利用して被制御装置を制御することができなくなる。
【０００６】
このほか、従来の技術によるワイヤレス照明制御システムが建築物の照明装置の制御に使用される場合、通常は大部分の照明装置は昼間に点灯されて夜に消灯され、頻繁に点消灯されることがないため、従来の技術によるワイヤレス照明制御システムは大部分の時間アイドリング状態におかれており、利用率が高まらなかった。
【０００７】
さらに、従来の技術によるワイヤレス照明制御システムは通常建築物の中の照明装置のみ制御可能であり、他の装置に対して制御を行えず、使用者が無線伝送方式により他の装置の制御或いは他の応用を行う場合、別に独立したネットワークを構築する必要があった。よって、従来の技術によるワイヤレス照明制御システムは使用上大きな制限があった。
【０００８】
そこで、本発明者は上記の欠点が改善可能と考え、鋭意検討を重ねた結果、合理的設計で上記の課題を効果的に改善する本発明の提案に到った。
【０００９】
本発明は、上記の事情を考慮してなされたもので、上記課題解決のため、本発明は、データブリッジ機能を有する電気エネルギー供給装置及びワイヤレス照明制御システムを提供することを主目的とする。
【課題を解決するための手段】
【００１０】
上述した課題を解決し、上記目的を達成するための本発明は、本発明に係るデータブリッジ機能を有する電気エネルギー供給装置は少なくとも１つの照明装置に接続され、前記装置は第一ワイヤレス通信モジュールと、マルチプレックスモジュールと、駆動モジュールとを備える。第一ワイヤレス通信モジュールは第一無線ネットワークプロトコルに基づく第一制御信号の受信或いは伝送を行う。マルチプレックスモジュールは第一ワイヤレス通信モジュールに接続され、且つ第一制御信号のデータに基づいて第一制御信号の通信プロトコルの種類の判断を行う。駆動モジュールはマルチプレックスモジュールに接続され、且つ第一制御信号に基づいて照明装置を駆動させる。マルチプレックスモジュールが第一ワイヤレス通信モジュールにより第一制御信号を受信させると、マルチプレックスモジュールが通信プロトコルの種類に基づいて第一制御信号に従って駆動モジュールの制御を行って照明装置を駆動させるか否か、或いは他の電気エネルギー供給装置をデータブリッジ経路として第一制御信号を通信プロトコルの種類が対応されるものとは離れる第一被制御装置に伝送させるか否かを決定させ、第一被制御装置の制御を行う。
【００１１】
好ましい実施態様において、電気エネルギー供給装置はマルチプレックスモジュールに接続される変換モジュールをさらに備え、変換モジュールは第一ワイヤレス通信モジュールと、第二ワイヤレス通信モジュールと、処理モジュールとを含む。第一ワイヤレス通信モジュールは第一無線ネットワークプロトコルに基づく第一制御信号の受信或いは伝送を行う。第二ワイヤレス通信モジュールは第二無線ネットワークプロトコルに基づく第二制御信号の受信或いは伝送を行う。処理モジュールは第一ワイヤレス通信モジュール及び第二ワイヤレス通信モジュールに接続される。
【００１２】
好ましい実施態様において、マルチプレックスモジュールにより通信プロトコルの種類がＤＡＬＩ（Digital Address Lighting Interface）規格であると判定されると、マルチプレックスモジュールが第一制御信号に基づいて駆動モジュールを制御させて照明装置を駆動させる。
【００１３】
好ましい実施態様において、第二ワイヤレス通信モジュールが第二制御装置により第二制御信号を受信させると、処理モジュールが第二制御信号を第一無線ネットワークプロトコルに基づく変換信号に変換させると共にマルチプレックスモジュールまで伝送させ、マルチプレックスモジュールが変換信号の通信プロトコルの種類に基づいて他の電気エネルギー供給装置をデータブリッジ経路として変換信号を前記通信プロトコルの種類に対応されるものとは離れる第二被制御装置に伝送させ、第二被制御装置の制御を行う。
【００１４】
好ましい実施態様において、電気エネルギー供給装置は発光ダイオードドライバ、電子安定器、電源供給器或いは無線充電器である。
【００１５】
好ましい実施態様において、変換モジュールは有線伝送方式或いは無線伝送方式でマルチプレックスモジュールに接続される。
【００１６】
好ましい実施態様において、第一ワイヤレス通信モジュールはＺｉｇＢｅｅ無線ネットワークプロトコル或いはブルートゥース無線ネットワークプロトコルに基づく。
【００１７】
好ましい実施態様において、第二ワイヤレス通信モジュールは前記ＺｉｇＢｅｅ無線ネットワークプロトコル、前記ブルートゥース無線ネットワークプロトコル、ＷｉＦｉ無線ネットワークプロトコル、ＲＦＩＤ無線ネットワークプロトコル或いは赤外線無線ネットワークプロトコルに基づく。
【００１８】
好ましい実施態様において、ブルートゥース無線ネットワークプロトコルは低消費電力ブルートゥース無線ネットワークプロトコルである。
【００１９】
さらに、上記目的を達成するために、本発明に係るワイヤレス照明制御システムは、複数の照明装置と、少なくとも１つの第一被制御装置と、照明制御装置と、第一制御装置と、複数の電気エネルギー供給装置とを備える。照明制御装置は無線伝送方式によりこれら前記照明装置の制御を行う。第一制御装置は無線伝送方式により第一被制御装置の制御を行う。各前記電気エネルギー供給装置は少なくとも１つの照明装置にそれぞれ接続され、且つ第一無線ネットワークプロトコルに基づく第一制御信号の受信を行う。また、何れか１つの電気エネルギー供給装置が照明制御装置或いは第一制御装置により第一制御信号を受信させると、電気エネルギー供給装置が第一制御信号のデータに基づいて第一制御信号の通信プロトコルの種類の判定を行って第一制御信号に従って電気エネルギー供給装置に対応される照明装置を制御させるか否か、或いは他の電気エネルギー供給装置をデータブリッジ経路として第一制御信号を通信プロトコルの種類に対応されるものとは離れる第一被制御装置に伝送させるか否かを決定させ、第一被制御装置の制御を行う。
【００２０】
好ましい実施態様において、実施形態では、各電気エネルギー供給装置は第一ワイヤレス通信モジュールと、マルチプレックスモジュールと、駆動モジュールとを備える。第一ワイヤレス通信モジュールは第一無線ネットワークプロトコルに基づく第一制御信号の受信或いは伝送を行う。マルチプレックスモジュールは第一ワイヤレス通信モジュールに接続され、且つ第一制御信号のデータに基づいて第一制御信号の通信プロトコルの種類の判断を行う。駆動モジュールはマルチプレックスモジュールに接続され、且つ第一制御信号に基づいて照明装置を駆動させる。
【００２１】
好ましい実施態様において、マルチプレックスモジュールが第一ワイヤレス通信モジュールにより第一制御信号を受信させると、マルチプレックスモジュールが通信プロトコルの種類に基づいて第一制御信号に従って駆動モジュールの制御を行って照明装置を駆動させるか否か、或いは他の電気エネルギー供給装置をデータブリッジ経路として第一制御信号を通信プロトコルの種類に対応されるものとは離れる第一被制御装置に伝送させるか否かを決定させ、第一被制御装置の制御を行う。
【００２２】
好ましい実施態様において、ワイヤレス照明制御システムは少なくとも１つの第二被制御装置及び第二制御装置をさらに備える。第二制御装置は無線伝送方式により第二被制御装置の制御を行う。
【００２３】
好ましい実施態様において、各電気エネルギー供給装置はマルチプレックスモジュールに接続される変換モジュールをさらに備え、変換モジュールは第一ワイヤレス通信モジュールと、第二ワイヤレス通信モジュールと、処理モジュールとを含む。第一ワイヤレス通信モジュールは第一無線ネットワークプロトコルに基づく第一制御信号の受信或いは伝送を行う。第二ワイヤレス通信モジュールは第二無線ネットワークプロトコルに基づく第二制御信号の受信或いは伝送を行う。処理モジュールは第一ワイヤレス通信モジュール及び第二ワイヤレス通信モジュールに接続される。
【００２４】
好ましい実施態様において、これら前記電気エネルギー供給装置は発光ダイオードドライバ、電子安定器、電源供給器或いは無線充電器である。
【００２５】
好ましい実施態様において、これら前記変換モジュールは有線伝送方式或いは無線伝送方式でこれらマルチプレックスモジュールに接続される。
【００２６】
好ましい実施態様において、これら前記第一ワイヤレス通信モジュールはＺｉｇＢｅｅ無線ネットワークプロトコル或いはブルートゥース(Bluetooth（登録商標）)無線ネットワークプロトコルに基づく。
【００２７】
好ましい実施態様において、これら前記第二ワイヤレス通信モジュールはＺｉｇＢｅｅ無線ネットワークプロトコル、ブルートゥース無線ネットワークプロトコル、ＷｉＦｉ無線ネットワークプロトコル、ＲＦＩＤ無線ネットワークプロトコル或いは赤外線無線ネットワークプロトコルに基づく。
【００２８】
好ましい実施態様において、ブルートゥース無線ネットワークプロトコルは低消費電力ブルートゥース(BT4.0或いはBLE)無線ネットワークプロトコルである。
【発明の効果】
【００２９】
上述したように、本発明のデータブリッジ機能を有する電気エネルギー供給装置及びワイヤレス照明制御システムは、１つ或いは複数の下述の長所を有する。
(１) 本発明における好適な実施の形態において、ワイヤレス照明制御システムは低消費電力の無線ネットワークにより実現される。このため、重大な電磁放射を発生させず、人体に如何なる危害も加えず、好ましい安全性を有する。
(２) 本発明における好適な実施の形態において、ワイヤレス照明制御システムはデータ量の少ない無線ネットワークにより実現される。低コストであるが各制御信号を伝送させるには十分であり、このため、ワイヤレス照明制御システム全体のコストが大幅に低減される。
(３) 本発明における好適な実施の形態において、ワイヤレス照明制御システムの各電気エネルギー供給装置にはデータマルチプレクサーが設置され、受信された第一制御信号の通信プロトコルの種類の識別を行って第一制御信号が照明装置或いは他の被制御装置のどちらの制御に使用されるのかを判定させる。これにより、ワイヤレス照明制御システムと同じ無線ネットワークプロトコルの制御システムがワイヤレス照明制御システムの無線ネットワークシステムを通して同時に制御信号を伝送させ、独立した無線ネットワークシステムを別に構築させる必要がなくなり、ワイヤレス照明制御システムのアイドリング時間を減少させ、ワイヤレス照明制御システムの利用率を有効的に高め、より弾力的に運用可能になる。
(４) 本発明における好適な実施の形態において、ワイヤレス照明制御システムの各電気エネルギー供給装置には無線式信号変換器がさらに設置される。これにより、ワイヤレス照明制御システムとは異なる無線ネットワークプロトコルによる制御システムがワイヤレス照明制御システムの無線ネットワークシステムを通して同時に制御信号を伝送させ、独立した無線ネットワークシステムを別に構築させる必要がなくなり、ワイヤレス照明制御システムのアイドリング時間を減少させ、ワイヤレス照明制御システムの利用率をさらに高め、より弾力的に運用可能になる。
(５) 本発明における好適な実施の形態において、ワイヤレス照明制御システムの各電気エネルギー供給装置は共に制御信号を伝送させる中継局となり、ワイヤレス照明制御システム全体で１つの広大なデータブリッジ経路を形成させ、制御信号が極めて遠い距離まで伝送されるようになり、これによって広いカバー範囲を達成させる。
【図面の簡単な説明】
【００３０】
【図１】本発明のデータブリッジ機能を有する電気エネルギー供給装置を説明する概略図である。
【図２】本発明の第１実施形態によるデータブリッジ機能を有するワイヤレス照明制御システムを示す概略図である。
【図３】本発明の第１実施形態によるデータブリッジ機能を有するワイヤレス照明制御システムを示すフローチャート図である。
【図４】本発明の第２実施形態によるデータブリッジ機能を有するワイヤレス照明制御システムを示す概略図である。
【図５】本発明の第３実施形態によるデータブリッジ機能を有するワイヤレス照明制御システムを示す概略図である。
【図６】本発明の第４実施形態によるデータブリッジ機能を有するワイヤレス照明制御システムを示す概略図である。
【図７】本発明の第５実施形態によるデータブリッジ機能を有するワイヤレス照明制御システムを示す概略図である。
【発明を実施するための形態】
【００３１】
以下に図面を参照して、本発明を実施するための形態について、詳細に説明する。なお、本発明は、以下に説明する実施形態に限定されるものではない。図１は本発明のデータブリッジ機能を有する電気エネルギー供給装置を説明するブロック図である。電気エネルギー供給装置１０は照明装置Ａ'に接続されて電気エネルギーを提供し、電気エネルギー供給装置１０は第一ワイヤレス通信モジュールＷ１と、処理モジュール１０１と、駆動モジュール１０２とを備える。処理モジュール１０１はマルチプレックスモジュール１０１１を含む。照明制御装置Ａは第一ワイヤレス通信モジュールＷ１により第一無線ネットワークプロトコルに基づく第一制御信号ＣＳ１を伝送させて照明装置Ａ'の制御を行い、第一制御装置Ｂは第一ワイヤレス通信モジュールＷ１により第一無線ネットワークプロトコルに基づく第一制御信号ＣＳ１を伝送させて照明装置Ｂ'の制御を行う。好ましい実施形態によれば、電気エネルギー制御装置は発光ダイオードドライバ(LED Driver)、電子安定器(Electrical Ballast)、電源供給器或いは無線充電器である。
【００３２】
第一ワイヤレス通信モジュールＷ１は第一無線ネットワークプロトコルに基づく第一制御信号ＣＳ１の受信或いは伝送を行い、且つ処理モジュール１０１まで伝送させる。処理モジュール１０１のマルチプレックスモジュール１０１１は第一制御信号ＣＳ１の通信プロトコルの種類の判断を行う。駆動モジュール１０１は第一制御信号ＣＳ１に基づいて制御命令ＣＭ１を発生させて照明装置Ａ'を駆動させる。マルチプレックスモジュール１０１１が第一ワイヤレス通信モジュールＷ１により照明制御装置Ａ或いは第一制御装置Ｂから伝送された第一制御信号ＣＳ１を受信させると、マルチプレックスモジュール１０１１が第一制御信号ＣＳ１のデータに基づいて第一制御信号ＣＳ１の通信プロトコルの種類の判定を行い、且つ通信プロトコルの種類に基づいて第一制御信号ＣＳ１に従って駆動モジュール１０２の制御を行って照明装置Ａ'を駆動させるか否か、或いは他の電気エネルギー供給装置１０をデータブリッジ経路として第一制御信号ＣＳ１を通信プロトコルの種類が対応されるものとは離れる第一被制御装置Ｂ'に伝送させるか否かを決定させ、第一被制御装置Ｂ'の制御を行う。好ましい実施形態によると、第一ワイヤレス通信モジュールＷ１はＺｉｇＢｅｅ無線ネットワークプロトコル、ブルートゥース(Bluetooth（登録商標）)無線ネットワークプロトコル或いは低消費電力ブルートゥース(BT4.0或いはBLE)無線ネットワークプロトコルに基づいて第一制御信号ＣＳ１等を伝送させる低消費電力の無線ネットワークプロトコルである。
【００３３】
上述のメカニズムにより、本発明の処理モジュール１０１のマルチプレックスモジュール１０１１は第一制御信号ＣＳ１の通信プロトコルの種類に基づいて制御を行う対象の判定を行う。これにより、照明制御装置Ａと同じ無線ネットワークプロトコルの第一制御装置Ｂがワイヤレス照明制御システムの複数の電気エネルギー供給装置１０で構成される無線ネットワークシステムを通して同時に制御信号の伝送を行い、独立した専用の無線ネットワークシステムを別に構築する必要がなくなり、より弾力的に運用可能になる。
【実施例】
【００３４】
第１実施形態
図２は本発明の第１実施形態によるデータブリッジ機能を有するワイヤレス照明制御システムを示す概略図である。ワイヤレス照明制御システム２はＬＥＤ照明制御装置Ａと、複数のＬＥＤ(Light Emitting Diode)照明装置Ａ'と、第一制御装置Ｂと、第一被制御装置Ｂ'と、複数のＬＥＤドライバ２０とを備える。
【００３５】
これら前記ＬＥＤドライバ２０は建築物の各地点に分布されると共に互いに一定の距離隔てられ、各ＬＥＤドライバ２０は１つのＬＥＤ照明装置Ａ'にそれぞれ接続されて電気エネルギーを提供する。ＬＥＤ照明制御装置Ａは第一ワイヤレス通信モジュールＷ１により無線伝送方式でＺｉｇＢｅｅ無線ネットワークプロトコルに基づく第一制御信号ＣＳ１をこれら前記ＬＥＤドライバ２０に伝送させて対応されるＬＥＤ照明装置Ａ'の制御を行う。第一制御装置Ｂは第一ワイヤレス通信モジュールＷ１により無線伝送方式でＺｉｇＢｅｅ無線ネットワークプロトコルに基づく第一制御信号ＣＳ１を伝送させ、且つこれら前記ＬＥＤドライバ２０がデータブリッジ経路となって遠隔の第一被制御装置Ｂ'まで伝送させる。
【００３６】
各ＬＥＤドライバ２０は第一ワイヤレス通信モジュールＷ１と、マイクロプロセッサ２０１と、駆動回路２０２とを備え、マイクロプロセッサ２０１はデータマルチプレクサー２０１１を含む。第一ワイヤレス通信モジュールＷ１はＺｉｇＢｅｅ無線ネットワークプロトコルに基づく第一制御信号ＣＳ１の受信或いは伝送を行い、且つマイクロプロセッサ２０１まで伝送させる。マイクロプロセッサ２０１のデータマルチプレクサー２０１１は第一制御信号ＣＳ１の通信プロトコルの種類の判断を行う。駆動回路２０２は第一制御信号ＣＳ１に基づいて制御命令ＣＭ１を発生させてＬＥＤ照明装置Ａ'を駆動させる。
【００３７】
データマルチプレクサー２０１１が第一ワイヤレス通信モジュールＷ１によりＬＥＤ照明制御装置Ａ或いは第一制御装置Ｂから伝送される第一制御信号ＣＳ１を受信させると、データマルチプレクサー２０１１が第一制御信号ＣＳ１のデータに基づいて第一制御信号ＣＳ１の通信プロトコルの種類の判定を行い、且つ通信プロトコルの種類に基づいて第一制御信号ＣＳ１に従って駆動回路２０２の制御を行ってＬＥＤ照明装置Ａ'を駆動させるか否か、或いは他のＬＥＤドライバ２０をデータブリッジ経路として第一制御信号ＣＳ１を通信プロトコルの種類が対応されるものとは離れる第一被制御装置Ｂ'に伝送させるか否か決定させ、第一被制御装置Ｂ'の制御を行う。
【００３８】
データマルチプレクサー２０１１により第一制御信号ＣＳ１の通信プロトコルの種類がＬＥＤ照明装置Ａ'に属すると判定されると、データマルチプレクサー２０１１が第一制御信号ＣＳ１を駆動回路２０２に伝送させ、駆動回路２０２が第一制御信号ＣＳ１に基づいて制御命令ＣＭ１を発生させてＬＥＤ照明装置Ａ'を駆動させる。データマルチプレクサー２０１１により第一制御信号ＣＳ１の通信プロトコルの種類が第一被制御装置Ｂ'に属すると判定されると、データマルチプレクサー２０１１が第一制御信号ＣＳ１を近隣の他のＬＥＤドライバ２０に伝送させ、且つ他のＬＥＤドライバ２０をデータブリッジ経路として第一制御信号Ｃを通信プロトコルの種類が対応されるものとは離れる第一被制御装置Ｂ'に伝送させ、第一被制御装置Ｂ'の制御を行う。
【００３９】
例えば、データマルチプレクサー２０１１により第一制御信号ＣＳ１の通信プロトコルの種類が制御ＬＥＤ照明装置Ａ'に使用されるＤＡＬＩ(Digital Address Lighting Interface、DALI)規格か否かが判定される。ＤＡＬＩ規格である場合、データマルチプレクサー２０１１が第一制御信号ＣＳ１を駆動回路モジュール２０２に伝送させ、駆動回路２０２が第一制御信号ＣＳ１に基づいて制御命令ＣＭ１を発生させてＬＥＤ照明装置Ａ'を駆動させる。ＤＡＬＩ規格ではない場合、データマルチプレクサー２０１１は他のＬＥＤドライバ２０をデータブリッジ経路として第一制御信号ＣＳ１を遠く離れる第一被制御装置Ｂ'の近隣のＬＥＤドライバ２０まで伝送させ、且つ前述のＬＥＤドライバ２０により第一制御信号ＣＳ１を第一被制御装置Ｂ'に伝送させ、第一被制御装置Ｂ'の制御を行う。
【００４０】
ちなみに、従来の技術によるワイヤレス照明制御システムはＷｉＦｉ無線ネットワークを通して制御信号の伝送を行うため、ＷｉＦｉ無線ネットワークではコストが高いのみならず、重大な電磁放射を発生させ、人体に対して一定の影響を与える。反対に、本発明に係るワイヤレス照明制御システムは、ＺｉｇＢｅｅ無線ネットワーク、ブルートゥース無線ネットワーク或いは低消費電力ブルートゥース無線ネットワーク等により低消費電力で低コストなネットワークシステムを実現して制御信号の伝送を行うため、重大な電磁放射を発生させず、人体に対する影響を大幅に低減させ、コストを有効的に減少させる。
【００４１】
なお、従来の技術によるワイヤレス照明制御システムはデータ伝送量が多いＷｉＦｉ無線ネットワークにより制御信号の伝送を行うが、ただし、制御信号はデータ量が少ない信号であるため、ＷｉＦｉ無線ネットワークを使用して制御信号を伝送するのは浪費であると言えた。反対に、本発明に係るワイヤレス照明制御システムはＺｉｇＢｅｅ無線ネットワーク、ブルートゥース無線ネットワーク或いは低消費電力ブルートゥース無線ネットワーク等の低消費電力で低コスト且つデータ伝送量の少ないネットワークシステムにより制御信号の伝送を行うため、コストを低減させて浪費を避ける。
【００４２】
このほか、従来の技術によるワイヤレス照明制御システムは建築物の中の照明装置に対してのみ制御が行え、照明装置は頻繁に点消灯が行われないため、利用率が低かった。反対に、本発明に係るワイヤレス照明制御システムは照明装置の制御のほか、ワイヤレス照明制御システムと同じ無線ネットワークプロトコルの制御システムによりワイヤレス照明制御システムの無線ネットワークシステムを通して同時に制御信号の伝送を行え、独立した無線ネットワークシステムを別に構築する必要がなく、ワイヤレス照明制御システムのアイドリング時間を減少させて利用率を大幅に高める。
【００４３】
このほか、従来の技術によるワイヤレス照明制御システムの無線ネットワークのカバー範囲には限界があり、ゆえに、被制御装置が離れた位置にあり且つ無線ネットワークのカバー範囲にない場合、使用者は無線ネットワークを通して被制御装置を制御することができない。反対に、本発明に係るワイヤレス照明制御システムの各電気エネルギー供給装置は共に信号伝送の中継局となり、制御信号が離れた場所まで伝送されるため、建築物の各地点に電気エネルギー供給装置を設置させるのみで無線ネットワークのカバー範囲とすることができる。よって、本発明に係るワイヤレス照明制御システムのカバー範囲には如何なる制限もない。
【００４４】
図３は本発明の第１実施形態によるデータブリッジ機能を有するワイヤレス照明制御システムを示すフローチャート図である。本実施形態では以下の工程を含む。
工程Ｓ３１では、ＬＥＤ照明制御装置或いは第一制御装置により第一制御信号が発信される。
工程Ｓ３２では、ＬＥＤドライバが第一制御信号を受信させる。
工程Ｓ３３では、ＬＥＤドライバが第一制御信号のデータに基づいて第一制御信号の通信プロトコル（communication protocol）の種類がＤＡＬＩ規格であるか否かを判定させる。ＤＡＬＩ規格である場合、工程Ｓ３３１に進み、ＤＡＬＩ規格ではない場合、工程Ｓ３３２に進む。
工程Ｓ３３１では、ＬＥＤドライバが第一制御信号に基づいて制御命令を発生させてＬＥＤ照明装置の制御を行う。
工程Ｓ３３２では、ＬＥＤドライバは他のＬＥＤドライバにより第一制御命令を遠くの第一被制御装置に伝送させる。
【００４５】
第２実施形態
図４は本発明の第２実施形態によるデータブリッジ機能を有するワイヤレス照明制御システムを示すフローチャート図である。ワイヤレス照明制御システム２はＬＥＤ照明制御装置Ａと、複数のＬＥＤ(Light Emitting Diode)照明装置Ａ'と、第一制御装置Ｂと、第一被制御装置Ｂ'と、第二制御装置Ｃと、第二被制御装置Ｃ'と、複数のＬＥＤドライバ２０とを備える。
【００４６】
これら前記ＬＥＤドライバ２０は建築物の各地点に分布されると共に互いに一定の距離隔てられ、各ＬＥＤドライバ２０はＬＥＤ照明装置Ａ'にそれぞれ接続されて電気エネルギーを提供する。ＬＥＤ照明制御装置Ａは第一ワイヤレス通信モジュールＷ１により無線伝送方式でＺｉｇＢｅｅ無線ネットワークプロトコルに基づく第一制御信号ＣＳ１をこれら前記ＬＥＤドライバ２０に伝送させて対応されるＬＥＤ照明装置Ａ'の制御を行う。第一制御装置Ｂは第一ワイヤレス通信モジュールＷ１により無線伝送方式でＺｉｇＢｅｅ無線ネットワークプロトコルに基づく第一制御信号ＣＳ１を伝送させ、且つこれら前記ＬＥＤドライバ２０をデータブリッジ経路として遠くの第一被制御装置Ｂ'まで伝送させる。 第二制御装置Ｃは第二ワイヤレス通信モジュールＷ２により無線伝送方式でブルートゥース無線ネットワークプロトコルに基づく第二制御信号ＣＳ２を伝送させ、且つこれら前記ＬＥＤドライバ２０をデータブリッジ経路として遠く離れる第二被制御装置Ｃ'まで伝送させる。
【００４７】
各ＬＥＤドライバ２０は第一ワイヤレス通信モジュールＷ１と、マイクロプロセッサ２０１と、駆動回路２０２とを備え、マイクロプロセッサ２０１はデータマルチプレクサー２０１１を含む。第一ワイヤレス通信モジュールＷ１はＺｉｇＢｅｅ無線ネットワークプロトコルに基づく第一制御信号ＣＳ１の受信或いは伝送を行い、且つマイクロプロセッサ２０１まで伝送させる。マイクロプロセッサ２０１のデータマルチプレクサー２０１１は第一制御信号ＣＳ１の通信プロトコルの種類の判断を行う。駆動回路２０２は第一制御信号ＣＳ１に基づいて制御命令ＣＭ１を発生させてＬＥＤ照明装置Ａ'を駆動させる。
【００４８】
同様に、データマルチプレクサー２０１１が第一ワイヤレス通信モジュールＷ１によりＬＥＤ照明制御装置Ａ或いは第一制御装置Ｂから伝送された第一制御信号ＣＳ１を受信させると、データマルチプレクサー２０１１が第一制御信号ＣＳ１のデータに基づいて第一制御信号ＣＳ１の通信プロトコルの種類がＤＡＬＩ規格であるか否かを判定させる。ＤＡＬＩ規格である場合、データマルチプレクサー２０１１が第一制御信号ＣＳ１を駆動回路モジュール２０２に伝送させ、駆動回路２０２が第一制御信号ＣＳ１に基づいて制御命令ＣＭ１を発生させてＬＥＤ照明装置Ａ'を駆動させる。ＤＡＬＩ規格ではない場合、データマルチプレクサー２０１１が他のＬＥＤドライバ２０をデータブリッジ経路として第一制御信号ＣＳ１を遠くの第一被制御装置Ｂ'の近隣のＬＥＤドライバ２０まで伝送させ、且つ前述のＬＥＤドライバ２０により第一制御信号ＣＳ１を第一被制御装置Ｂ'に伝送させ、第一被制御装置Ｂ'の制御を行う。
【００４９】
前述の実施形態と異なる点は、各ＬＥＤドライバ２０が無線式信号変換器２０３をさらに備え、無線式信号変換器２０３が第一ワイヤレス通信モジュールＷ１と、マイクロプロセッサ２０３１と、第二ワイヤレス通信モジュールＷ２とを含む点である。無線式信号変換器２０３は第二ワイヤレス通信モジュールＷ２により第二制御装置Ｃから伝送されるブルートゥース無線ネットワークプロトコルに基づく第二制御信号ＣＳ２を受信させ、マイクロプロセッサ２０３１が第二制御信号ＣＳ２をＺｉｇＢｅｅ無線ネットワークプロトコルに基づく変換信号ＣＳ１に変換させ、且つ第一ワイヤレス通信モジュールＷ１によりマイクロプロセッサ２０１まで伝送させる。マイクロプロセッサ２０１のデータマルチプレクサー２０１１が変換信号ＣＳ１のデータに基づいて変換信号ＣＳ１の通信プロトコルの種類がＤＡＬＩ規格ではないと判定させると、変換信号ＣＳ１が遠くの第二被制御装置Ｃ'の近隣のＬＥＤドライバ２０まで伝送され、前述のＬＥＤドライバ２０の無線式信号変換器２０３により変換信号ＣＳ１が第二制御信号ＣＳ２に変換され、第二被制御装置Ｃ'まで伝送され、第二被制御装置Ｃ'の制御を行う。他の好ましい実施形態では、第二ワイヤレス通信モジュールがＺｉｇＢｅｅ無線ネットワークプロトコル、ＷｉＦｉ無線ネットワークプロトコル、ＲＦＩＤ無線ネットワークプロトコル或いは赤外線無線ネットワークプロトコル等に基づく。
【００５０】
第３実施形態
図５は本発明の第３実施形態によるデータブリッジ機能を有するワイヤレス照明制御システムを示すフローチャート図である。ワイヤレス照明制御システム２はＬＥＤ照明制御装置Ａと、複数のＬＥＤ(Light Emitting Diode)照明装置Ａ'と、第一制御装置Ｂと、第一被制御装置Ｂ'と、第二制御装置Ｃと、第二被制御装置Ｃ'と、複数のＬＥＤドライバ２０とを備える。各ＬＥＤドライバ２０は第一ワイヤレス通信モジュールＷ１と、マイクロプロセッサ２０１と、駆動回路２０２と、無線式信号変換器２０３とを含む。前述の実施形態と異なる点は、本実施形態では、無線式信号変換器２０３がＬＥＤドライバ２０に統合され、ＬＥＤドライバ２０の機能を強化させる点である。当然ながら、上述は例に過ぎず、本発明に係るワイヤレス照明制御システムは他の実施態様をさらに含み、上述のものに制限されない。
【００５１】
ちなみに、従来の技術によるワイヤレス照明制御システムは通常建築物の中の照明装置の制御にのみ使用され、ゆえに使用上大きな制限を受ける。反対に、本発明に係るワイヤレス照明制御システムには無線式信号変換器が設置され、これにより、照明装置の制御のみならず、ワイヤレス照明制御システムと同じ或いは異なる無線ネットワークプロトコルの制御システムがワイヤレス照明制御システムの無線ネットワークシステムを通して同時に制御信号の伝送を行い、独立した無線ネットワークシステムを別に構築する必要がなく、ワイヤレス照明制御システムのアイドリング時間を減少させ、ワイヤレス照明制御システムの利用率をさらに高め、より弾力的に運用可能になる。上述のように、本発明は革新性を有する特許である。
【００５２】
第４実施形態
図６は本発明の第４実施形態によるデータブリッジ機能を有するワイヤレス照明制御システムを示すフローチャート図である。図６に示すように、本発明に係るワイヤレス照明制御システムの使用状況を説明する。使用者が携帯電話６により建築物の中の使用者の位置から遠く離れたテレビＴの制御を行う場合、携帯電話６により伝送される第一制御信号ＣＳ１は本発明に係るワイヤレス照明制御システムの無線ネットワークを通して伝送される。ワイヤレス照明制御システムは、建築物の異なる位置の各ＬＥＤ照明装置Ａ'に対応される電気エネルギー供給装置を備え、各電気エネルギー供給装置が共に第一制御信号ＣＳ１の中継局となることで、１つの広大なデータブリッジ経路が形成される。これにより、携帯電話６が伝送させる第一制御信号ＣＳ１が使用者の位置から遠く離れるテレビＴまでスムーズに伝送される。
【００５３】
第５実施形態
図７は本発明の第５実施形態によるデータブリッジ機能を有するワイヤレス照明制御システムを示すフローチャート図である。図５に示すように、本発明に係るワイヤレス照明制御システムの使用状況を説明する。本発明に係るワイヤレス照明制御システムは病院に応用され、患者の位置を追跡できる。或いは、工場に運用され、貴重な機器の位置を追跡できる。図示するように、患者がＲＦＩＤタグを身に着け、病院の異なる各地点にＲＦＩＤリーダーが設置される。ＲＦＩＤリーダー７により患者が身に着けたＲＦＩＤタグが読み取られると、ＲＦＩＤリーダーにより感知信号ＣＳ２が伝送される。感知信号ＣＳ２が本発明に係るワイヤレス照明制御システムの無線ネットワークを通して伝送される。ワイヤレス照明制御システムは、病院の異なる位置の各ＬＥＤ照明装置Ａ'に対応される電気エネルギー供給装置を備え、各電気エネルギー供給装置が共に感知信号ＣＳ２の中継局となることで、１つの広大なデータブリッジ経路が形成される。これにより、ＲＦＩＤリーダー７により伝送される第一制御信号ＣＳ１がＲＦＩＤリーダー７の位置から遠く離れる監視装置Ｍまでスムーズに伝送される。
【００５４】
当然ながら、上述は例に過ぎず、本発明に係るワイヤレス照明制御システムは他の実施態様をさらに含み、上述のものに制限されない。
【００５５】
以上を総合すると、本発明の実施形態では、ワイヤレス照明制御システムは低消費電力の無線ネットワークにより実現されるため、重大な電磁放射が発生せず、人体に対して如何なる危害も加えず、安全性が高まる。
【００５６】
なお、本発明の好ましい実施形態では、ワイヤレス照明制御システムはデータ量の少ない無線ネットワークにより実現され、低コストであるが各制御信号を伝送するには十分であり、これにより、ワイヤレス照明制御システム全体のコストが大幅に低減される。
【００５７】
本発明の好ましい実施形態では、ワイヤレス照明制御システムの各電気エネルギー供給装置にはデータマルチプレクサーが設置され、受信された第一制御信号の通信プロトコルの種類の識別を行って前述の第一制御信号が照明装置或いは他の被制御装置のどちらの制御に用いられるのかを判定させる。これにより、ワイヤレス照明制御システムと同じ無線ネットワークプロトコルの制御システムがワイヤレス照明制御システムの無線ネットワークを通して同時に制御信号の伝送を行う。独立した無線ネットワークを別に構築する必要がなく、ワイヤレス照明制御システムのアイドリング時間を減少させ、ワイヤレス照明制御システムの利用率が大幅に高まり、ワイヤレス照明制御システムがより弾力的に運用可能になる。
【００５８】
本発明の好ましい実施形態では、ワイヤレス照明制御システムの各電気エネルギー供給装置には無線式信号変換器がさらに設置される。これにより、ワイヤレス照明制御システムと異なる無線ネットワークプロトコルの制御システムがワイヤレス照明制御システムの無線ネットワークを通して同時に制御信号の伝送を行う。独立した無線ネットワークを別に構築する必要がなく、ワイヤレス照明制御システムのアイドリング時間を減少させ、ワイヤレス照明制御システムの利用率がさらに高まり、ワイヤレス照明制御システムがより弾力的に運用可能になる。
【００５９】
さらに、本発明の好ましい実施形態では、ワイヤレス照明制御システムの各電気エネルギー供給装置が共に制御信号伝送の中継局となる。ゆえに、ワイヤレス照明制御システム全体で１つの広大なデータブリッジ経路が形成され、制御信号を極めて遠い場所まで伝送可能になり、広いカバー範囲を達成させる。
【００６０】
従って、本明細書に開示された実施形態は、本考案を限定するものではなく、説明するためのものであり、このような実施形態によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００６１】
２  ワイヤレス照明制御システム
６  携帯電話
７  ＲＦＩＤリーダー
１０  電気エネルギー供給装置
１０１  処理モジュール
１０１１  マルチプレックスモジュール
１０２  駆動モジュール
２０  ＬＥＤドライバ
２０１、２０３１  マイクロプロセッサ
２０１１  データマルチプレクサー
２０２  駆動回路
２０３  無線式信号変換器
Ａ  照明制御装置、ＬＥＤ照明制御装置
Ａ'  照明制御装置、ＬＥＤ照明制御装置
Ｂ  第一制御装置
Ｂ'  第一被制御装置
Ｃ  第二制御装置
Ｃ'  第二被制御装置
ＣＳ１  第一制御信号、転換信号
ＣＳ２第二制御信号、感知信号
ＣＭ１  制御命令
Ｔ  テレビ
Ｍ  監視装置
Ｗ１  第一ワイヤレス通信モジュール
Ｗ２  第二ワイヤレス通信モジュール
【図１】
2016149354.tif 000003
【図２】
2016149354.tif 000004
【図３】
2016149354.tif 000005
【図４】
2016149354.tif 000006
【図５】
2016149354.tif 000007
【図６】
2016149354.tif 000008
【図７】
2016149354.tif 000009